(57)【要約】【課題】指詰め事故を防止する。【解決手段】戸尻側の戸当り１１と、戸先側の見切枠１３、１４と、前後のパネル１６、１６とによって戸袋１０を形成し、前後の見切枠１３、１４の少なくとも一方に指詰め防止用の隙間Ｇを形成する。  隙間Ｇは、引き戸２０、３０を開放操作して戸袋１０に収納するとき、指詰め事故の発生を防止する。【選択図】図１
2005090093.tif 000002
【特許請求の範囲】
【請求項１】
戸尻側の戸当りと、戸先側の前後の見切枠と、前記戸当りと前記各見切枠との間に装着する前後のパネルとを備えてなり、前記見切枠の少なくとも一方には、引き戸の表面との間に指詰め防止用の隙間を形成することを特徴とする引き戸用の戸袋。
【請求項２】
前記各パネルは、戸先側の固定片を前記見切枠に付設するばね板によって把持し、戸尻側の固定片を前記戸当りにねじ止めすることを特徴とする請求項１記載の引き戸用の戸袋。
【請求項３】
前記ばね板は、前記見切枠に対し、戸先側をスポット溶接することを特徴とする請求項２記載の引き戸用の戸袋。
【請求項４】
前記戸当り、各パネルは、建築物の壁面を構成する前後の壁パネルの間に配置することを特徴とする請求項１ないし請求項３のいずれか記載の引き戸用の戸袋。
【発明の詳細な説明】
【技術分野】
【０００１】
この発明は、建築物の開口部を開閉する引き戸に用いる引き戸用の戸袋に関する。
【背景技術】
【０００２】
建築物の開口部を開閉する引き戸には、開放時の引き戸を体裁よく収納して隠蔽するために、戸袋を組み合わせることがある。
【０００３】
従来の戸袋は、壁面の表面に沿って横移動する引き戸を収納するために、壁面の表面から突出させ、壁面の開口部に向けて開口する箱形に形成するのが普通である。
【発明の開示】
【発明が解決しようとする課題】
【０００４】
かかる従来技術によるときは、戸袋は、壁面の表面から突出する箱形であるから、体裁がよくない上、厚さを必要最少にしなければならないため、引き戸を開放操作して戸袋に収納する際に、引き戸の表面と戸袋の竪枠材との間に手指を挟み込み、いわゆる指詰め事故が発生して思わぬ怪我をすることがあるという問題があった。
【０００５】
そこで、この発明の目的は、かかる従来技術の問題に鑑み、戸先側の少なくとも一方の見切枠に指詰め防止用の隙間を形成することによって、指詰め事故が発生するおそれがなく、建築物の壁面に容易に格納して良好な外観を実現することができる引き戸用の戸袋を提供することにある。
【課題を解決するための手段】
【０００６】
かかる目的を達成するためのこの発明の構成は、戸尻側の戸当りと、戸先側の前後の見切枠と、戸当りと各見切枠との間に装着する前後のパネルとを備えてなり、見切枠の少なくとも一方には、引き戸の表面との間に指詰め防止用の隙間を形成することをその要旨とする。
【０００７】
なお、各パネルは、戸先側の固定片を見切枠に付設するばね板によって把持し、戸尻側の固定片を戸当りにねじ止めすることができ、ばね板は、見切枠に対し、戸先側をスポット溶接することができる。
【０００８】
また、戸当り、各パネルは、建築物の壁面を構成する前後の壁パネルの間に配置してもよい。
【発明の効果】
【０００９】
かかる発明の構成によるときは、戸当りと、前後の見切枠と、前後のパネルとは、引き戸を収納する戸袋を形成するが、見切枠の少なくとも一方に指詰め防止用の隙間を形成することにより、指詰め事故の発生を有効に防止することができる上、前後のパネルが形成する戸袋の全体厚さを必要最少に抑え、戸袋を建築物の壁面内に容易に格納して良好な外観を実現することができる。
【００１０】
なお、指詰め防止用の隙間は、安全上の要請を満たしながら戸袋の厚さを最少にするために、２０〜３０mm程度に設定することが好ましく、引き戸を設ける建築物の開口部に向けて開き、見切枠の全長に亘り、上下に連続させることが好ましい。また、指詰め防止用の隙間は、一方の引き戸を開閉操作して他方の引き戸を連動させる２連引き戸の場合は、操作側の引き戸に近い一方の見切枠に設ければ十分であるが、１枚の引き戸のみの場合、２枚の引き戸の双方を開閉操作する引違い戸の場合は、前後の見切枠の双方に設けることが好ましい。
【００１１】
各パネルは、戸先側の固定片をばね板によって把持し、戸尻側の固定片をねじ止めすることによって、取付作業を著るしく簡単化するとともに、戸袋の戸先側において取付用のねじなどが内側に突出しないから、戸袋の厚さを小さくしても、引き戸の表面を不用意に傷付けたりするおそれがない。
【００１２】
ばね板は、戸先側をスポット溶接して戸尻側を見切枠から浮かせることによって、パネルの戸先側の固定片を戸尻側からばね板の下に差し込み、固定片を見切枠との間に一挙動により把持させることができる。ただし、ばね板の戸尻側は、見切枠から離れる方向に斜めに屈曲させることが好ましい。また、ばね板は、見切枠に沿う上下方向に一体に連続させてもよく、任意の枚数に分割してもよい。
【００１３】
戸当りと各パネルとを壁パネルの間に配置すれば、戸袋は、見切枠を除く全体を体裁よく壁面内に格納することができる。なお、このときの見切枠は、引き戸を装着する戸枠の一方の竪枠として外観上認識され、戸袋自体は、その存在を認識できないようにすることも可能である。
【発明を実施するための最良の形態】
【００１４】
以下、図面を以って発明の実施の形態を説明する。
【００１５】
引き戸用の戸袋１０は、戸尻側の戸当り１１と、戸先側の前後の見切枠１３、１４と、前後のパネル１６、１６とを備えてなる（図１）。ただし、戸袋１０は、建築物の壁面Ｗの開口部Ｗ1 を開閉する吊り戸式の２連引き戸２０、３０と組み合わされている（図１、図２）。
【００１６】
前後の引き戸２０、３０は、それぞれ吊り車２１、３１を介し、上方のガイドレール２２、３２から横移動自在に吊下されている。なお、吊り車２１、３１には、それぞれ外れ止め用の補助ローラ２１ａ、３１ａが付設されている。また、後の引き戸３０の下部は、ベース板３３ａを介して見切枠１３、１４の間に立設するガイドローラ３３を介してガイドされ、前の引き戸２０の下部は、引き戸３０の戸先側の下部に固定するブラケット２３ａ上のガイドローラ２３を介してガイドされている。引き戸２０の戸先側には、把手２４、２４が両面に突設されており、引き戸３０の戸尻側には、引き戸２０の戸尻側を横切る連動ブラケット３４が突設されている。
【００１７】
開口部Ｗ1 の前面側には、上枠４１、戸先側の竪枠４２、見切枠１３を介し、引き戸２０、３０用の戸枠が形成されている（図２、図３）。なお、引き戸２０、３０の上部には、カバー４３が着脱可能に装着されている。また、開口部Ｗ1 の後面側には、カバー４３がなく、別の上枠４４、竪枠４２、見切枠１４による戸枠が形成されている（図１、図２）。上枠４１、４４は、壁面Ｗを構成する壁パネルＷa 、Ｗa の間に配置する支持材４５を介して支持されており、支持材４５は、図示しない建築物の構造材に取り付けられている。また、ガイドレール２２、３２は、共通のブラケット４６を介して支持材４５により支持されている。ただし、ガイドレール２２、３２は、開口部Ｗ1 の上部から戸袋１０の内部にまで延びているものとする（図３）。
【００１８】
戸当り１１、竪枠４２は、それぞれ壁面Ｗを構成する壁パネルＷa 、Ｗa の間に配置する図示しない建築物の構造材に連結されている（図１）。戸当り１１の開口部Ｗ1 側の表面には、クッション材１２が付設されており、前後のパネル１６、１６は、それぞれ戸当り１１、見切枠１３の間、戸当り１１、見切枠１４の間に装着されている。また、見切枠１３、１４は、それぞれ上下両端のブラケット１３ｃ、１３ｃ、１４ｃ、１４ｃを介して立設されている。ただし、図１には、各一方のブラケット１３ｃ、１４ｃのみが図示されている。前の引き戸２０に近い前面側の見切枠１３には、引き戸２０の表面との間に指詰め防止用の隙間Ｇを形成する段差１３ａが開口部Ｗ1 に向けて設けられている。戸当り１１、パネル１６、１６は、壁パネルＷa 、Ｗa の間に配置されており、戸袋１０は、壁面Ｗに格納されている。
【００１９】
各パネル１６には、戸先側、戸尻側に向けて固定片１６ａ、１６ａが突設されている（図４）。また、見切枠１３、１４には、それぞれ戸尻側に向けて補助片１３ｂ、１４ｂが突設されており、補助片１３ｂ、１４ｂ上には、それぞればね板１５がスポット溶接されている。なお、ばね板１５は、戸先側がスポット溶接され、戸尻側は、補助片１３ｂ、１４ｂから浮き上がるように斜めに屈曲されている。そこで、各パネル１６は、戸先側の固定片１６ａをばね板１５の下に差し込んでばね板１５によって把持するとともに（図４の矢印方向）、止めねじ１６ｂを介して戸尻側の固定片１６ａを戸当り１１にねじ止めすることにより（図５）、戸当り１１と、見切枠１３または見切枠１４との間に装着されている。なお、パネル１６、１６を装着した後、壁パネルＷa 、Ｗa を施工することにより、戸袋１０を壁面Ｗ内に完全に隠蔽することができる。
【００２０】
引き戸２０、３０は、開口部Ｗ1 を全面閉鎖することができる（図１の実線、図３）。そこで、把手２４を介して引き戸２０を開放操作し（図３の矢印方向）、引き戸２０を引き戸３０とともに戸袋１０内に収納して開口部Ｗ1 を全面開放することができる（図１の二点鎖線）。このとき、引き戸２０、３０の各戸尻側は、連動ブラケット３４を介し、ほぼ同時に戸当り１１上のクッション材１２に当接して停止する。また、見切枠１３には、引き戸２０の表面との間に指詰め防止用の隙間Ｇが形成されているので、指詰め事故が発生するおそれがない。一方、戸袋１０内の引き戸２０を閉じ方向に引き出すと、引き戸３０も連動して引き出され、引き戸２０、３０は、開口部Ｗ1 を元の全閉状態に閉じることができる。ただし、引き戸３０は、図示しない連結機構を介し、引き戸２０に連動して開き方向、閉じ方向に駆動するものとする。
【００２１】
以上の説明において、引き戸２０、３０は、１枚の引き戸であってもよく、そのとき、指詰め防止用の隙間Ｇは、前後の見切枠１３、１４の双方に形成することが好ましい。すなわち、隙間Ｇは、前後の見切枠１３、１４の少なくとも一方に形成することができる。また、引き戸２０、３０は、２枚以上の引違い戸であってもよく、吊り戸に代えて、敷居、鴨居を使用する普通の引き戸であってもよい。
【図面の簡単な説明】
【００２２】
【図１】全体構成水平断面図
【図２】図１のＸ−Ｘ線矢視相当拡大垂直断面図
【図３】図１のＹ矢視相当正面図
【図４】要部拡大組立説明図（１）
【図５】要部拡大組立説明図（２）
【符号の説明】
【００２３】
Ｗ…壁面
Ｗa …壁パネル
Ｇ…隙間
１０…戸袋
１１…戸当り
１３、１４…見切枠
１５…ばね板
１６…パネル
１６ａ…固定片
特許出願人          小松ウオール工業株式会社
代理人  弁理士                松  田  忠  秋
【図１】
2005090093.tif 000003
【図２】
2005090093.tif 000004
【図３】
2005090093.tif 000005
【図４】
2005090093.tif 000006
【図５】
2005090093.tif 000007